(57)【要約】ソープストーンパウダーで少なくとも部分的に充填された密封空洞（１３）を有するバッグ（１１）から成る健康増進器具（１０）が提供される。バッグは、エラストマー材料で作られ得る。【選択図】図１ａ
2021535772.tif 000002
【特許請求の範囲】
【請求項１】
ソープストーンパウダーで少なくとも部分的に充填された密封空洞（１３）を有するバッグ（１１）を備える、健康増進器具（１０）。
【請求項２】
前記バッグは、エラストマーで作られる、請求項１に記載の器具。
【請求項３】
前記バッグは、水密である、請求項１又は２に記載の器具。
【請求項４】
前記バッグは、継ぎ目を有さない、請求項１〜３のうちのいずれか一項に記載の器具。
【請求項５】
前記器具は、実質的に矩形、円形、又は楕円形の断面のうちの１つを有する、請求項１〜４のうちのいずれか一項に記載の器具。
【請求項６】
前記器具は、細長い直線形状、細長い湾曲形状、矩形形状、円板形状、及び球形状のうちの１つを有する、請求項１〜５のうちのいずれか一項に記載の器具。
【請求項７】
前記バッグは、結び目、接着剤、及び化学的溶接のうちの１つの手段によって密封される、請求項１〜６のうちのいずれか一項に記載の器具。
【請求項８】
前記バッグ中に前記ソープストーンパウダーを密封するための密封機構を更に備える、請求項１〜７のうちのいずれか一項に記載の器具。
【請求項９】
前記密封機構及び前記バッグは、単一の材料中に共に成形される、請求項８に記載の器具。
【請求項１０】
前記密封機構は、突出部及び対応する受け入れアパーチャを備え、それらは、共に押圧されると、前記バッグを閉じるように密封部を形成する、請求項８又は９に記載の器具。
【請求項１１】
前記密封機構は、クランプ器具である、請求項８〜１０のうちのいずれか一項に記載の器具。
【請求項１２】
前記充填された空洞内部に低圧が印加される、請求項１〜１１のうちのいずれか一項に記載の器具。
【請求項１３】
外殻を更に備える、請求項１〜１２のうちのいずれか一項に記載の器具。
【請求項１４】
少なくとも１つの持ち手を更に備える、請求項１〜１３のうちのいずれか一項に記載の器具。
【請求項１５】
前記エラストマーは、シリコーン材料である、請求項２〜１４のうちのいずれか一項に記載の器具。
【発明の詳細な説明】
【技術分野】
【０００１】
本発明は、一般に健康増進器具に関し、より具体的には、圧縮可能な材料で充填されたバッグを備える健康増進器具に関する。
【背景技術】
【０００２】
人間にとって、ワークアウトを行う、身体的及び心理的な症状の両方を治療する、楽しいことをする、等によって健康を増進しようとする衝動は、基本的な原動力である。これは、結果として、健康増進産業を繁栄させる。市場には、多かれ少なかれ高価な健康増進製品が氾濫しており、各々が使用者に対して異なる約束をしているが、それらの製品は、結局、ワードローブの中に何度も忘れられてしまう。多くの異なる健康増進用途に使用されることができ、それによって、使用者が複数の異なる製品を購入する必要性を減らす、長寿命で高品質の健康増進器具が必要とされている。
【発明の概要】
【０００３】
本発明の目的は、様々な健康増進用途及び活動に使用されることができる改善された健康増進器具を少なくとも提供することである。この目的は、添付された独立請求項に規定された本発明の器具によって達成される。好ましい実施形態は、従属請求項並びに以下の説明及び図面に記載されている。
【０００４】
このことから、本発明の概念に従って、ソープストーンパウダーで少なくとも部分的に充填された密封空洞を有するバッグを備える健康増進器具が提供される。バッグをソープストーンパウダーで充填することは、器具のいくつかの利点を提供する。器具は、高い保温性を有する。室温で、又は加熱若しくは冷却された状態で使用されることができる。本発明の概念に係る器具は、このことから、ソープストーンパウダーが、健康増進器具として人間が使用するための加温／冷却ツールとしてのその使用を容易にするその鉱物組成により熱伝導性及び比熱容量を有するので、所望されるときに加熱又は冷却効果と有利に組み合わされることができる、健康、ウェルネス、レクリエーション、又はトレーニング製品として使用され得る。ソープストーンパウダーは、比較的高い嵩密度を有し、それは、器具をその体積に対して重くしており、それは、例えば、筋群をエクササイズするために、又は不安を抑制する快適な感覚を提供するために、身体部位に対して重さ又は圧力を提供するのに有用である。更に、ソープストーンは、優れた化学的耐久性及び純度を有するので、人間が使用するのに適している。ソープストーン材料に流動性及び圧縮性を提供するその粉末構造により、器具は、様々な形状に形成されることができる。器具は、例えば、不安、緊張、背部痛、坐骨神経痛の治療を支援し、とりわけ睡眠及び血液循環を改善するために使用されることができる。運動選手又はヘルスケアの患者のために、器具は、損傷の急性冷却の寒冷療法として、屋外でも、又は筋肉を緩める活動より前の温熱療法及びその後の寒冷療法のために、使用されることができる。これは、本発明の概念に適した用途の非網羅的なリストである。多くの他の用途が考えられる。
【０００５】
器具の実施形態によると、バッグは、エラストマー、例えば、シリコーンゴム又は同様のエラストマー材料で作られる。シリコーンゴム又は同様のエラストマー材料からバッグを形成することによって、バッグの壁は、ソープストーンパウダーが器具から漏れることができないように効果的に密封される。更に、エラストマーバッグは、弾性であり、そのため、器具は、例えば、身体部位の周りで曲げられ得るか、手で握りしめられ得るか、又は、例えば、首に支持を提供するために圧縮され得る。高い変形性を有するエラストマーを選択することによって、器具は、所望される使用に適用可能な所望される形状に形成されることができる。エラストマーバッグの更なる利点は、例えば、エラストマー材料を所望される形状に成形することによって、バッグが所望される形状に製造されることができることである。エラストマーシリコーンは、長寿命を有し、広範囲の温度に耐えることができ、広い温度範囲にわたってその物理的特性を維持することができるので、更に有用である（冷凍庫、室温で冷却された後、及び、例えば、電子レンジで加熱された後に器具を使用することをカバーする）。
【０００６】
器具の実施形態によると、バッグは、密封されたときに水密であり、それは、ソープストーンパウダーを湿気から保護するのに有利であり、それによって、その使用を湿潤環境に拡張する。
【０００７】
器具の実施形態によると、バッグは、継ぎ目を有さず、それは使用者の快適な体験に有利である。
【０００８】
器具の実施形態によると、器具は、実質的に矩形、円形、及び楕円形の断面のうちの１つを有する。
【０００９】
器具の実施形態によると、器具は、細長く、それは、有利である。細長い形状は、直線又は湾曲形状であり得る。例えば、矩形、円板、球形状、又は同様の形状などの器具の他の形状は、本発明の概念内で適用可能であり、好ましくは、器具の特定の意図された用途に基づいて選択される。
【００１０】
器具の実施形態によると、バッグは、結び目、接着剤、及び（化学的）溶接のうちの１つの手段によって密封される。
【００１１】
器具の実施形態によると、それは、バッグを密封するための密封機構を更に備え、それによって、バッグ中にソープストーンパウダーを包含する。密封機構は、バッグの端部に配置され得、それは、ソープストーンパウダーでバッグを充填するときに有利である。
【００１２】
器具の実施形態によると、密封機構及びバッグは、単一の材料中に共に成形され、即ち、密封機構は、一体化された密封部であり得、それは、有利である。バッグ及び／又は密封機構は、（圧縮）成形型中に一体として成形され得、それは、有利には、単一の製造ステップを提供する。バッグの成形は、バッグの異なる形状を作製することが容易になるので有利である。
【００１３】
器具の実施形態によると、密封機構は、突出部及び対応する受け入れアパーチャを備え、それらは、共に押圧されると、バッグを閉じる／密封するように密封部を形成する。
【００１４】
器具の実施形態によると、密封機構は、クランプ器具である。
【００１５】
器具の実施形態によると、前記充填された空洞内部に低圧が印加される。
【００１６】
器具の実施形態によると、それは、外殻を更に備え、それは、有利には、器具の異なる用途に適合されることができる。外殻は、取り外し可能に配置され得、布、毛皮布、毛皮、プラスチック、等などの、器具の意図された使用に適合可能な任意の材料で作られ得る。更に、外殻に装飾、等を施すことが考えられる。
【００１７】
器具の実施形態によると、それは、バッグ上に直接又は外殻の一部としてのうちのいずれかで配置される少なくとも１つの持ち手を更に備え、それは、器具がある特定の用途に合うように、例えば（ケトルベル）ウェイトとして機能するように、適合されることができるので、有利である。
【００１８】
本発明のこれら及び他の態様、特徴、及び利点は、以下に記載される実施形態から明らかになり、それらを参照して解明されるであろう。
【００１９】
本発明は、ここで、より詳細に、添付された図面を参照して説明される。
【図面の簡単な説明】
【００２０】
【図１ａ】本発明の概念に係る健康増進器具の例証的な実施形態を例示し、概略斜視上方側面図である。
【図１ｂ】図１ａの概略側面図である。
【図１ｃ】図１ａの概略端面図である。
【図１ｄ】図１ａの実施形態における２つの断面の線を描いた概略側面図である。
【図１ｅ】図１ｄの例証的な実施形態の縦方向に沿った概略的な第１の断面図である。
【図１ｆ】図１ｄの例証的な実施形態の横方向の概略的な第２の断面図である。
【図２ａ】本発明の概念に係る健康増進器具の実施形態の横方向の概略断面図である。
【図２ｂ】本発明の概念に係る健康増進器具の他の実施形態の横方向の概略断面図である。
【図２ｃ】本発明の概念に係る健康増進器具の他の実施形態の横方向の概略断面図である。
【図３】本発明の概念に係る健康増進器具を製造するためのプロセスのフローチャートである。
【図４】本発明の概念の実施形態の概略図である。
【図５】本発明の概念の実施形態の概略図である。
【発明を実施するための形態】
【００２１】
本発明は、ここから、添付の図面を参照して以下により十分に説明される。以下の実施形態は、本開示が徹底的且つ完全となり、当業者に本発明の範囲を十分に伝達するように例として提供される。全体を通じて、同様の番号は同様の要素を指す。
【００２２】
図１は、本発明の概念に係る健康増進器具の例証的な実施形態を例示する。ここで図１ａ及び図１ｂを参照すると、健康増進器具１０（簡略化のために以下では器具１０と呼ばれる）は、楕円形の断面（図１ｃ参照）を有する実質的に矩形の細長い本体１６を備え、それは、粉末状の充填材料で、より具体的には、ソープストーンパウダーで充填されたバッグ１１によって構成される。
【００２３】
ソープストーンは、例えば、ソープストーン、塊状滑石、フレンチチョーク、ソープストーンケイ酸塩、ステアタイト、ソープストーン滑石、天然ステアタイト滑石、ＣＡＳ＃ １４８０７−９６−６などの多くの名称で知られている。ソープストーンは、一般に、滑りやすい感触を有し、非常に柔らかく、手で彫ることができる、全ての塊状の灰色から青味がかった又は緑がかった滑石を指す。ソープストーンパウダーは、ソープストーンを粉砕することによって得られる。バッグ１１は、好ましくは、シリコーンなどのエラストマー材料から形成される。器具を製造したときに充填材料を受け入れるための開口部１２は、ここでは、バッグ１１の第１の端部１７に配置されている。バッグの開口部の他の位置が実現可能であり、位置は、例えば、バッグの形状、製造プロセス、等に依存する。
【００２４】
器具の実施形態によると、バッグ１１は、防水である。
【００２５】
続いて、この実施形態では、密封機構１５が、開口部１２に配置されて、器具１０にソープストーンパウダーを充填した後に器具１０を密封する。図１ａと、器具１０の縦軸に沿った断面図を示す図１ｅとに概略的に例示される密封機構は、ここでは、ストッパ１５を指す。しかしながら、バッグの密封部は、器具の実施形態によると、バッグの一体化された部分として、例えば、バッグの一部として、好ましくは、単一の材料、例えば、シリコーン中に成形又は３Ｄプリントすることによって提供される。密封機構は、例えば、ポリプロピレン、ポリエチレン、ポリ塩化ビニル、又は何らかの他の適用可能な材料で作られ得る別個の又は一体化されたクランプ器具によって更に具現化され得る。
【００２６】
器具の実施形態によると、密封機構は、例えば、クランプ中で互いに対向する突出部及び対応する受け入れアパーチャを設けられたクランプであり、それらは、共に押圧されると、バッグを閉じるように密封部を形成する。
【００２７】
器具の実施形態によると、密封機構の形成／バッグの密封は、バッグの製造の一体化されたステップであり、そのため、バッグがソープストーンパウダーで充填されたとき、バッグは、バッグが継ぎ目を有さないような形で密封される。
【００２８】
別の実施形態によると、バッグは、結び目、接着剤、又は化学的溶接によって密封される。
【００２９】
ソープストーンで充填されたとき、バッグを密封する前に、前記充填された空洞内部に低圧がオプションとして印加される。図１を参照して説明された器具１０は、実質的に細長い矩形の直線形状であり、楕円形の断面を有する。異なる実施形態によると、器具は他の形状、例えば、細長い湾曲形状、円板形状、正方形、球形状、又は他の適用可能な形状を有することに留意されたい。異なる形状は、実質的に矩形、円形、又は楕円形の断面を更に有し得る（器具の３つの実施形態の断面を例示する図２ａ〜２ｃを参照）。
【００３０】
ここで図２ａを参照すると、器具２０は、ソープストーンパウダー２４で充填された空洞２３を有する、好ましくは、シリコーンゴムで作られたバッグ２１を備え、ここで、バッグ２１の断面は、楕円形である。器具２０は、例えば、直線の又は湾曲した細長い実質的に矩形又は楕円の形状、又は円板形状によって具現化され得る。
【００３１】
図２ｂでは、器具３０は、ソープストーンパウダー２４で充填された空洞３３を有する、好ましくは、シリコーンゴムで作られたバッグ３１を備え、ここで、バッグ３１の断面は、円形である。器具３０は、例えば、直線の又は湾曲した細長い実質的に管形又は球形の形状によって具現化され得る。
【００３２】
図２ｃでは、器具４０は、ソープストーンパウダー２４で充填された空洞４３を有する、好ましくは、シリコーンゴムで作られたバッグ４１を備え、ここで、バッグ４１の断面は、実質的に矩形である。器具４０は、例えば、直線の又は湾曲した細長い実質的に矩形の又は正方形の形状によって具現化され得る。他の形状が本発明の概念内で適用可能である。
【００３３】
ここで図３を参照すると、本発明の概念に係る器具は、一般に、バッグを製造又は提供するステップＳ１０１を実行することによって、例えば、シリコーンなどのエラストマー材料中にバッグを成形することによって製造される。バッグは次いで、ソープストーンパウダーで充填される、Ｓ１０２。オプションとして、バッグから空気を除去するためのステップＳ１０３は、バッグがソープストーンパウダーで充填された後にバッグの内部に残る空気の量を最小限に保つために実行される。次のステップＳ１０４では、バッグは、例えば、上述されたような密封機構を用いて、又は代替的に接着剤、化学的溶接、等を用いて密封される。
【００３４】
図４に概略的に例示される器具の実施形態によると、器具５０は、器具を保護し、所望される外観又は同様のものを提供するように適合され得る外殻５１を更に備える。外殻は、布又はシリコーンなどの任意の所望される材料で作られ得る。図４における例証的な実施形態では、外殻５１は、外殻を開放及び再閉鎖するための手段、ここでは、ジッパー５２を有し、そのため、外殻を取り外して洗浄又は別の外殻と交換することができる。外殻を開放及び再閉鎖するための他の手段、例えば、面ファスナー、等が考えられる。図５に概略的に例示されるように、器具の実施形態によると、器具６０は、バッグに直接又は外殻の一部としてのうちのいずれかで配置された１つ以上の持ち手６１を更に備え得る。
【００３５】
本発明は、図面及び前述の説明において詳細に例示及び説明されたが、そのような例示及び説明は、例示又は例証であって限定的ではないと見なされるべきであり、本発明は、開示された実施形態に限定されない。
【００３６】
開示された実施形態に対する他の変形形態は、図面、開示、及び添付された特許請求の範囲の検討から、特許請求された発明を実施する際に当業者によって理解及び達成されることができる。特許請求の範囲では、「備える」という単語は、他の要素又はステップを除外せず、不定冠詞「ａ」又は「ａｎ」は、複数を除外しない。ある特定の手段が相互に異なる従属請求項に記載されているという単なる事実は、これらの手段の組み合わせが有利に使用されることができないことを示すものではない。特許請求の範囲におけるいかなる参照符号も、範囲を限定するものとして解釈されるべきではない。
【図１ａ】
2021535772.tif 000003
【図１ｂ】
2021535772.tif 000004
【図１ｃ】
2021535772.tif 000005
【図１ｄ】
2021535772.tif 000006
【図１ｅ】
2021535772.tif 000007
【図１ｆ】
2021535772.tif 000008
【図２ａ】
2021535772.tif 000009
【図２ｂ】
2021535772.tif 000010
【図２ｃ】
2021535772.tif 000011
【図３】
2021535772.tif 000012
【図４】
2021535772.tif 000013
【図５】
2021535772.tif 000014
【国際調査報告】
2021535772.tif 000015
2021535772.tif 000016
2021535772.tif 000017